(57)【要約】【課題】浴槽裏側で排水管の先端を良好に固定して、確実に排水を浴室の排水トラップに排水できる浴室外機器からの浴室への排水構造を提供する。【解決手段】浴室外に設置された機器から延びる排水管９ａ，９ｂが浴室壁３を貫通して浴室１内に配設され、排水管９ａ，９ｂの下流端は、浴槽４の裏側に設置した箱体８に接続され、この箱体８に設けた出水口１１が、浴槽４の裏に開口されている排水口５ｂの上部に配置されて構成されている。【選択図】図１
2010053545.tif 000002
【特許請求の範囲】
【請求項１】
浴室外に設置された機器から延びる排水管が浴室壁を貫通して浴室内に配設され、該排水管の下流端は浴槽裏側に設置した箱体に接続され、該箱体に設けた出水口が浴槽裏の排水口上部に配置されている
ことを特徴とする浴室外機器からの浴室への排水構造。
【請求項２】
前記箱体の底面には下方へ突出する凸状の脚部が設けられている
請求項１に記載の浴室外機器からの浴室への排水構造。
【発明の詳細な説明】
【技術分野】
【０００１】
本発明は、浴室外に設置された機器からの排水を浴室へ導き良好に排水できる排水構造に関するものである。
【背景技術】
【０００２】
従来、機器からドレン管を介して排出されるドレン水を、浴槽パンの排水口を介し排出する排水ユニットとして、例えば特許文献１に開示されているような構造のものが存在する。
この排水ユニットは、ドレン管から受け入れたドレン水を本体筒部内に導く継手部と、本体筒部の下端側に設けられ逆流を阻止する逆止弁とを備えるとともに、本体筒部内のドレン水をオーバーフローさせるオーバーフロー用開口部が形成された構造となっている。
【特許文献１】特開２００８−３８３８４号公報
【発明の開示】
【発明が解決しようとする課題】
【０００３】
上記特許文献１に開示されている構造では、ドレン水がオーバーフロー用開口部から浴槽パン上に溢れて、浴槽パン上が汚れやすく、浴槽パン上を良好な乾燥状態にしておくことが困難であるという問題点があり、また、排水ユニットの掃除が困難であるという問題点があった。
【課題を解決するための手段】
【０００４】
本発明は、浴室外機器からの排水を良好に浴室へ排水処理でき、しかも、浴槽裏側を良好な乾燥状態に維持できる排水構造の提供を目的とし、この目的の少なくとも一部を達成するために以下の手段を採った。
本発明の浴室外機器からの浴室への排水構造は、浴室外に設置された機器から延びる排水管が浴室壁を貫通して浴室内に配設され、該排水管の下流端は浴槽裏側に設置した箱体に接続され、該箱体に設けた出水口が浴槽裏の排水口上部に配置されていることを要旨とする。
【発明の効果】
【０００５】
浴槽裏側の空間を利用して、この空間内に箱体を設置し、この箱体に、浴室外に設置された機器から延びる排水管を接続して、機器からの排水管を箱体を介して浴槽裏側に良好に固定させることができ、箱体内に排水管からの排水を受け入れ、箱体に形成されている出水口から、浴槽裏に形成されている排水口内に確実に排水を行うことができる。即ち、複数の機器からの排水管を箱体に接続して整理した状態で排水を確実に排水口に排出することができ、浴槽の裏側に排水が漏れることがなく、掃除のしにくい浴槽裏側を良好な乾燥状態に維持することができる。
【０００６】
また、本発明の浴室外機器からの浴室への排水構造において、前記箱体の底面には下方へ突出する凸状の脚部が設けられている構造とすることもできる。
こうすれば、箱体が浴槽裏側に脚部を介して接触面積が小さい状態で設置されるため、万一、浴槽裏側に水が漏れても乾燥が早いものとなる。
【発明を実施するための最良の形態】
【０００７】
次に、本発明を実施するための最良の形態を実施例を用いて説明する。
図１は、浴室外機器からの浴室への排水構造を示す斜視構成図であり、図２は、浴槽裏側に設置された箱体の部分の拡大構成図である。なお、図３は、箱体の浴槽裏側への設置状態の縦断面構成図であり、図４は、浴室の平面概略構成図である。
【０００８】
図において、浴室１は、その底側が防水パン２で構成されており、防水パン２の外周に複数枚の浴室壁３が立設されて浴室１が形成されている。
防水パン２には、洗い場２ａと、浴槽４を設置する浴槽載置面２ｂが形成され、洗い場２ａと浴槽載置面２ｂ間には、上方へ立ち上げて堤防２ｃが形成されている。この堤防２ｃ上にはエプロン７が立設され、エプロン７と浴槽４間の空間Ｓの底側の浴槽載置面２ｂ上に箱体８が設置されている。
この浴槽４裏側の空間Ｓ内に設置した箱体８には、排水管９ａ，９ｂが接続され、箱体８から外側へ延びる出水口１１は、浴槽載置面２ｂに開口されている排水口５ｂ上に配置されている。
【０００９】
即ち、図３に示すように、浴槽載置面２ｂには排水口５ｂが開口され、洗い場２ａには排水口５ａが開口されており、洗い場２ａ側の排水口５ａの下方に排水トラップ６が設置されて、排水トラップ６に排水口５ｂが接続されている。このため、排水口５ｂからの排水は排水トラップ６を介して図示しない下水管に排出されるものである。
【００１０】
箱体８に接続される排水管９ａ，９ｂは、例えば、浴室外に設置されている給湯器の熱交換部からのドレン水が流れ込む排水管９ａや、浴室の天井面に設置されている換気扇からの結露水が流入される排水管９ｂ、その他、浴室天井面にミスト装置が設けられている場合には、このミスト装置の熱交換部からのドレン水が流入される排水管等であり、２以上或いはそれ以上の複数本の排水管９ａ，９ｂが、図２のように鞘管１０内にまとめられて、箱体８の側面８ｂに金具１４を介して接続されるものである。
それぞれの浴室外機器（給湯器，換気扇，ミスト装置等）に接続された複数の排水管９ａ，９ｂを内装した鞘管１０は、浴室壁３の裏側から壁固定部材１３を介して貫通状にエプロン７と浴槽４間の空間Ｓ内にコンパクトに取りまわされ、箱体８の側面８ｂに金具１４を介して接続される。
【００１１】
なお、図２において、箱体８の底面８ａには、下方側へ突出状に４本の脚部１２，１２が形成されており、この脚部１２，１２が防水パンの浴槽載置面２ｂ上に当接して、浴槽載置面２ｂと箱体８の底面８ａとの接触面積が少なくなるように構成されている。また、箱体８の上面には、着脱できる蓋８ｃを設けておくことができる。
【００１２】
このように、浴室外に設置された単数あるいは複数の機器からそれぞれ延びる排水管９ａ，９ｂを鞘管１０内に入れてまとめ、浴室壁３の裏側から壁固定部材１３を介して浴室１内に貫通させ、浴槽４の裏側の空間Ｓ内に設置した箱体８に接続することができ、箱体８は防水パン２の浴槽載置面２ｂ上に安定して設置されるため、各排水管９ａ，９ｂの先端が安定的に固定される。
このような構造で、箱体８から延びる出水口１１を浴槽載置面２ｂに開口されている排水口５ｂ上に配置しておき、各排水管９ａ，９ｂから箱体８内に排水を流入させて、出水口１１から確実に排水口５ｂ内に排水することができるため、浴槽載置面２ｂ上に排水が漏れ出すことがなく、汚れやすい浴槽載置面２ｂを常に良好な乾燥状態にして清潔に維持することができる。
また、箱体８に溜まった排水上面と排水管９ａ，９ｂの箱体８への接続部との距離が、配管を直接排水口５ｂに接続した時と比較して十分に取ることができる。
【００１３】
また、箱体８には脚部１２が形成されており、浴槽載置面２ｂとの接触面が小さいものであるため、万が一、浴槽載置面２ｂが水に濡れても乾燥は早くなり、浴槽載置面２ｂ上が汚れることが防がれる。
なお、箱体８は、複数の排水管９ａ，９ｂの下流端を安定的に固定させ、排水を箱体８内に良好に流入させることができる形状であれば、どのような形状であっても良く、コンパクトに浴槽４とエプロン７間の空間Ｓ内に設置できる形状であれば良い。
【図面の簡単な説明】
【００１４】
【図１】浴室外機器から延びる複数の排水管の浴室への排水構造を示す要部斜視構成図である。
【図２】図１における箱体の拡大断面構成図である。
【図３】箱体を浴槽とエプロン間の空間内に設置した状態の縦断面構成図である。
【図４】箱体の設置状態の浴室の平面構成図である。
【符号の説明】
【００１５】
１  浴室
２ａ  洗い場
２ｂ  浴槽載置面
２ｃ  堤防
３  浴室壁
４  浴槽
５ａ，５ｂ  排水口
６  排水トラップ
７  エプロン
８  箱体
８ａ  底面
８ｂ  側面
８ｃ  蓋
９ａ，９ｂ  排水管
１０  鞘管
１１  出水口
１２  脚部
１３  壁固定部材
【図１】
2010053545.tif 000003
【図２】
2010053545.tif 000004
【図３】
2010053545.tif 000005
【図４】
2010053545.tif 000006